(57)【要約】【課題】部品点数が削減される簡易な構造の雨樋支持具を提供する。【解決手段】１枚の金属板を折り曲げて成形される雨樋支持具Ａであって、壁面等に固定する取付板１の一側端に、前方に向けて延設する雨樋支持片２を一体形成してなり、上記雨樋支持片２の前端部及び後端部には、雨樋Ｔの前耳Ｔ１及び後耳Ｔ２を各々係止する樋前耳係止部２１及び樋後耳係止部２２を形成している。【選択図】図１
2006152639.tif 000002
【特許請求の範囲】
【請求項１】
１枚の金属板を折り曲げて成形される雨樋支持具であって、
壁面等に固定する取付板の一側端に、前方に向けて延設する雨樋支持片を一体形成してなり、
上記雨樋支持片の前端部及び後端部には、雨樋の前耳及び後耳を各々係止する樋前耳係止部及び樋後耳係止部を形成したことを特徴とする雨樋支持具。
【請求項２】
請求項１において、
雨樋支持片の樋前耳係止部或いは樋後耳係止部の少なくとも一方には、雨樋の前耳或いは後耳をガイドして係止させる弾性変形部を設けたことを特徴とする雨樋支持具。
【請求項３】
請求項１又は２の何れかにおいて、
取付板及び／又は雨樋支持片には、リブ、ビート等の加工を施して補強部を形成したことを特徴とする雨樋支持具。
【発明の詳細な説明】
【技術分野】
【０００１】
本発明は、軒先等に雨樋を取付けるための雨樋支持具に関する。
【背景技術】
【０００２】
従来の雨樋支持具は、雨樋の前耳及び後耳を各々係止する樋前耳係止部及び樋後耳係止部を前端部及び後端部に形成した雨樋支持具本体と、この雨樋支持具本体を軒先等に固定するため、当該雨樋支持具本体と連結された取付体と、より構成している（例えば、特許文献１参照。）。
【０００３】
これらの雨樋支持具本体及び取付体は、各々個別に形成したものを、例えば、リベット等で連結して一体化するか、或いは、金属製の帯板を曲げ加工して、雨樋支持具本体と取付体を一体形成したうえで、この曲げ加工した雨樋支持具本体の前端部及び後端部に、個別に形成した樋前耳係止部及び樋後耳係止部を溶接等で固着する構造である。
【特許文献１】特開平２０００−２７４０２６号
【発明の開示】
【発明が解決しようとする課題】
【０００４】
しかしながら、何れの雨樋支持具であっても、複数の部品を各々形成し、これら複数の部品を一体化する点では同じ構造である。
【０００５】
そのため、複数の部品を各々加工する作業工程が必要なうえ、これらを一体化して組み立てる作業工程も伴うため、雨樋支持具の生産が複雑且つ困難であるという問題があった。
【０００６】
また、複数の部品が異なる種類の金属よりなり、これら異種の金属部品同士を連結した場合には、電食作用による腐食の原因となり、錆を発生する不安もあった。
【０００７】
本発明は、かかる課題を解決することを目的としたものであり、１枚の金属板を折り曲げて成形される簡易な構造であって、部品点数も削減可能な雨樋支持具を提供する。
【課題を解決するための手段】
【０００８】
上記目的を達成するため、
請求項１に係る雨樋支持具は、１枚の金属板を折り曲げて成形される雨樋支持具であって、壁面等に固定する取付板の一側端に、前方に向けて延設する雨樋支持片を一体形成してなり、上記雨樋支持片の前端部及び後端部には、雨樋の前耳及び後耳を各々係止する樋前耳係止部及び樋後耳係止部を形成したことを特徴とする。
【０００９】
請求項２に係る雨樋支持具は、請求項１において、雨樋支持片の樋前耳係止部或いは樋後耳係止部の少なくとも一方には、雨樋の前耳或いは後耳をガイドして係止させる弾性変形部を設けたことを特徴とする。
【００１０】
請求項３に係る雨樋支持具は、請求項１又は２の何れかにおいて、取付板及び／又は雨樋支持片には、リブ、ビート等の加工を施して補強部を形成したことを特徴とする。
【発明の効果】
【００１１】
本発明によれば、次のような効果がある。
請求項１に係る雨樋支持具によれば、１枚の金属板を折り曲げて成形可能されているため、部品点数を大幅に削減でき、しかも、リベットカシメや溶接等の複雑な加工が不要であるため、製造工程も簡素化され、簡易に製造できる。
【００１２】
また、１枚の金属板だけで成形されているため、異種の金属部品同士を連結することがなく、錆の発生も防止できる。
【００１３】
請求項２に係る雨樋支持具によれば、樋前耳係止部或いは樋後耳係止部の少なくとも一方には、弾性変形部を設けているので、雨樋の前耳或いは後耳を樋前耳係止部或いは樋後耳係止部へとスムーズに誘導できるうえ、雨樋の前耳或いは後耳が誘導された後は、前記弾性変形部の弾性力によって、前耳或いは後耳を確実に係止して抜け外れを防止できる。
【００１４】
請求項３に係る雨樋支持具によれば、取付板及び／又は雨樋支持片には、リブ、ビート等の加工を施して補強部を形成しているので、雨樋の荷重に対して十分な強度、剛性を得ることができる。
【発明を実施するための最良の形態】
【００１５】
以下、本発明に係る雨樋支持具Ａを図面とともに説明する。
【実施例１】
【００１６】
図１は、本発明に係る雨樋支持具Ａの一実施例を示す使用状態図、図２（ａ）〜（ｃ）は、図１で示した雨樋支持具Ａの正面図、平面図、右側面図である。
【００１７】
この雨樋支持具Ａは、１枚の金属板を折り曲げて成形されてなる。
【００１８】
先ず、１枚の金属板を、型抜き加工などで所定の形状に形成しておく。
【００１９】
次いで、基板の一側方の位置（イ）を前方に直角に折り曲げることにより、壁面等に固定する取付板１と、その一側端に、前方に向けて延設する雨樋支持片２とが一体形成される。
【００２０】
取付板１には、これを壁面等にネジ、釘等で固定するための取付孔１１を複数形成しているが、これら取付孔１１も上記型抜き加工時に予め形成しておけば良い。
【００２１】
なお、取付板１は、雨樋支持片２に対して左、右の何れの方向に折り曲げても構わない。
【００２２】
一方、雨樋支持片２の前端部及び後端部には、雨樋Ｔの前耳Ｔ１及び後耳Ｔ２を各々係止する樋前耳係止部２１及び樋後耳係止部２２を各々形成している。
【００２３】
これらの樋前耳係止部２１及び樋後耳係止部２２の形状は、雨樋Ｔの前耳Ｔ１及び後耳Ｔ２の形状に応じて形成されるため、本実施例の形状には限定されない。
【００２４】
なお、図１、図２は、雨樋Ｔを吊下げて支持する吊下げ式の雨樋支持具Ａを例示したものであるが、この吊下げ式の雨樋支持具Ａでは、樋前耳係止部２１及び樋後耳係止部２２は、雨樋Ｔの前耳Ｔ１及びＴ２を掛止するようにして、図例のように形成される。
【００２５】
また、雨樋支持片２の上、下端の一部には、その端縁を雨樋支持片２と直交する方向に更に折り曲げてリブ加工を施した補強部２３、２４を各々形成している。
【００２６】
ここでの補強部２３、２４は、リブ加工を施したものを例示しているが、補強部２３、２４として、雨樋支持片２を部分的に膨出させてビート加工を施しても構わない。また、補強部２３、２４は、雨樋支持片２だけでなく、取付板１に形成することも勿論可能である。
【００２７】
更に、雨樋支持片２と、下端の補強部２４との折曲部分２５には、その後端から前方に向けて切り欠いた切欠部２６を形成している。
【００２８】
この切欠部２６を形成することによって、下端の補強部２４は、切欠部２６の後方部分が上、下方向に弾性変形可能な弾性変形部２７として作用し、一方、切欠部２６の前方部分が、雨樋支持片２の補強部２４として作用する。
【００２９】
また、弾性変形部２７の後端は、上方に向けて更に折り曲げて立上片部２８を形成している。
【００３０】
上記の如く構成した本発明の雨樋支持具Ａの使用要領を図１及び図２（ａ）に基づき説明する。
【００３１】
先ず、取付片１を軒先等の壁面に当接させ、取付孔１１からネジ、釘等を貫通させて、この取付片１を壁面に固定する。
【００３２】
同様にして、他の雨樋支持具（不図示）も所定の間隔をあけて壁面に固定する。
【００３３】
そして、雨樋支持片２の樋前耳掛止部２１に、雨樋Ｔの前耳Ｔ１を掛止させたうえで、雨樋Ｔの後端を上方に押上げれば、その後耳Ｔ２の上面が弾性変形部２７の下面に当接される。
【００３４】
そして更に、雨樋Ｔの後端を上方に押上げると、後耳Ｔ２が、弾性変形部２７の弾性力に抗しながら、弾性変形部２７を上方に変形させ、やがて、後耳Ｔ２が弾性変形部２７に誘導されながら樋後耳掛止部２２に掛止される。
【００３５】
同時に、上方に変形されていた弾性変形部２７は、後耳Ｔ２からの規制が解除され、その弾性復元力によって元の位置まで戻されると共に、立上片部２８が後耳Ｔ２の内側に配置され、この立上片部２８によって、後耳Ｔ２が樋後耳掛止部２２から抜け外れることを防止し、雨樋Ｔの取付けを完了する。
【実施例２】
【００３６】
図３は、本発明に係る雨樋支持具Ａの他の実施例を示す使用状態図、図４（ａ）〜（ｃ）は、図３で示した雨樋支持具Ａの正面図、平面図、右側面図である。
【００３７】
なお、図１、図２と共通する部位には、共通の符号を付し、その説明は省略する。
【００３８】
この雨樋支持具Ａは、１枚の金属板を折り曲げて成形されてなる点では上記と同じであるが、図１、図２で示した吊下げ式とは異なり、雨樋Ｔを雨樋支持片２で支持する受式の雨樋支持具Ａである点で相違するものである。
【００３９】
すなわち、上記同様にして、１枚の金属板を、型抜き加工などで所定の形状に形成し、次いで、基板の一側方の位置（イ）を前方に直角に折り曲げることにより、壁面等に固定する取付板１と、その一側端に、前方に向けて延設する雨樋支持片２が一体形成される。
【００４０】
ここでは、取付片１の中央をＵ状に切り欠き、その切り欠いた一片１ａを取付片１と逆方向に折り返すことで、雨樋支持片２を安定して延設できる。
【００４１】
また、雨樋支持片２の前端部及び後端部には、雨樋Ｔの前耳Ｔ１及び後耳Ｔ２を各々係止する樋前耳係止部２１及び樋後耳係止部２２を各々形成している。
【００４２】
これらの樋前耳係止部２１及び樋後耳係止部２２の形状は、雨樋Ｔの前耳Ｔ１及び後耳Ｔ２の形状に応じて形成されるため、本実施例の形状には限定されない。
【００４３】
なお、この実施例では、樋前耳係止部２１及び樋後耳係止部２２が、雨樋支持片２に対して直交する方向に折り曲げられて形成しているため、これら樋前耳係止部２１及び樋後耳係止部２２が補強部２３としての機能も備えている。
【００４４】
また、本実施例の弾性変形部２７は、樋前耳係止部２１を更に延設させて内側に湾曲させて折り返すことで形成したものを例示している。
【００４５】
上記の如く構成した本発明の雨樋支持具Ａの使用要領を図３及び図４（ａ）に基づき説明する。
【００４６】
先ず、取付片１を軒先等の壁面に当接させ、取付孔１１からネジ、釘等を貫通させて、この取付片１を壁面に固定する。
【００４７】
同様にして、他の雨樋支持具（不図示）も所定の間隔をあけて壁面に固定する。
【００４８】
そして、雨樋支持片２の樋後耳掛止部２２に、雨樋Ｔの後耳Ｔ２を掛止させたうえで、雨樋Ｔの前端を下方に押下げれば、その前耳Ｔ１の下面が弾性変形部２７の外面に当接される。
【００４９】
そして更に、雨樋Ｔの前端を下方に押下げると、前耳Ｔ１が、弾性変形部２７の弾性力に抗しながら、弾性変形部２７を内側に変形し、やがて、前耳Ｔ１が弾性変形部２７に誘導されながら樋前耳掛止部２１に掛止される。
【００５０】
同時に、内側に変形されていた弾性変形部２７は、前耳Ｔ１からの規制が解除され、その弾性復元力によって元の位置まで戻されると共に、弾性変形部２７の端縁部２８’が前耳Ｔ１の内側に配置され、この端縁部２８’によって、前耳Ｔ１が樋前耳掛止部２１から抜け外れることを防止し、雨樋Ｔの取付けを完了するのである。
【００５１】
以上、説明した通り、本発明に係る雨樋支持具Ａによれば、１枚の金属板を折り曲げて成形可能であるため、部品点数を大幅に削減でき、しかも、溶接等の複雑な加工を不要にして製造工程も簡素化され、簡易に製造できる。また、１枚の金属板だけで成形されているため、異種の金属部品同士を連結することがなく、錆の発生も防止できる。
【産業上の利用可能性】
【００５２】
本発明は、１枚の金属板を折り曲げて成形される簡易な構造の雨樋支持具として有効に利用することが可能である。
【図面の簡単な説明】
【００５３】
【図１】本発明に係る雨樋支持具Ａの一実施例を示す使用状態図である。
【図２】（ａ）〜（ｃ）は、図１で示した雨樋支持具Ａの正面図、平面図、右側面図である。
【図３】本発明に係る雨樋支持具Ａの他の実施例を示す使用状態図である。
【図４】（ａ）〜（ｃ）は、図３で示した雨樋支持具Ａの正面図、平面図、右側面図である。
【符号の説明】
【００５４】
Ａ      雨樋支持具
Ｔ      雨樋
Ｔ１    前耳
Ｔ２    後耳
１      取付板
２      雨樋支持片
２１    樋前耳掛止部
２２    樋後耳掛止部
２３    補強部
２７    弾性変形部
【図１】
2006152639.tif 000003
【図２】
2006152639.tif 000004
【図３】
2006152639.tif 000005
【図４】
2006152639.tif 000006